(57)【特許請求の範囲】
【請求項１】
空調装置を備える展示室の人の出入りがある予め定めた使用期間には、前記展示室内に配設した展示ケースにおける展示空間を密閉し、
前記予め定めた使用期間以外であって、前記展示室の人の出入りがない不使用期間となってから、空調装置による前記展示室内の浄化時間以上の経過後に、前記展示空間内の空気を、前記展示室の室内空間の空気と換気することを特徴とする、空調装置を備える展示室内に配設した展示ケース内の環境制御方法。
【請求項２】
展示室が次の前記使用期間になる前に、展示空間の換気を終了させるとともに、その終了時間から、予め定めた換気時間を逆算して、換気を開始させることを特徴とする、請求項１記載の空調装置を備える展示室内に配設した展示ケース内の環境制御方法。
【請求項３】
展示ケースに、その展示空間内の空気を、空気清浄手段を通して循環させる循環路を設け、前記展示空間を室内空間から遮断した状態で、前記展示空間の空気を前記循環路に沿って循環させることを特徴とする、請求項１または２に記載の空調装置を備える展示室内に配設した展示ケース内の環境制御方法。
【請求項４】
空調装置を備える展示室内に配設した展示ケース内の環境制御システムであって、
前記展示ケースに設けられ、かつ前記展示ケース内の密閉された展示空間内の空気を前記展示室の室内空間内の空気と換気する換気装置と、
前記展示室の人の出入りがある予め定めた使用期間に基づいて、前記予め定めた使用期間以外であって、前記展示室の人の出入りがない使用期間外に最適換気時間を定め、その最適換気時間に前記換気装置を作動させるように前記換気装置を制御する制御装置とを備えることを特徴とする、空調装置を備える展示室内に配設した展示ケース内の環境制御システム。
【請求項５】
空調装置を備える展示室内に配設した展示ケース内の環境制御システムであって、
前記展示ケースに設けられ、かつ前記展示ケース内の密閉された展示空間内の空気を前記展示室の室内空間内の空気と換気する換気装置と、
前記展示室の人の出入りがある予め定めた使用期間を設定する入力手段と、
リアルタイムクロックと、
前記換気装置の作動を制御する制御装置とを備え、
前記制御装置は、前記入力手段により入力された前記展示室の前記予め定めた使用期間に基づいて、最適換気時間を、前記予め定めた使用期間以外であって、前記展示室の人の出入りがない使用期間外に決定する最適換気時間決定手段と、前記リアルタイムクロックが示す時間が、前記最適換気時間と一致したとき、前記換気装置を作動させる出力手段とを有するプログラム制御手段を備えていることを特徴とする、空調装置を備える展示室内に配設した展示ケース内の環境制御システム。
【発明の詳細な説明】
【技術分野】
【０００１】
本発明は、美術館、博物館、文化財保存館等において、空調装置を備える展示室内に配設した展示ケース内の環境制御方法およびシステムに関する。
【背景技術】
【０００２】
従来の美術館等において使用されている展示ケースは、展示物を収容した収容空間を、透明なガラス板等をもって囲んで密閉し、この収容空間内の空気を、ファンやフィルタを有する空気清浄手段を備える循環路を通して循環させるようにしたものが一般的である(例えば特許文献１参照)。
【０００３】
上記のような循環路を伸縮可能なものとしたり、この循環路に調湿手段を設けたりしたものや(例えば特許文献２参照)、収容空間に窒素ガスを供給しうるようにしたもの(例えば特許文献３参照)等もある。
【先行技術文献】
【特許文献】
【０００４】
【特許文献１】特許第２９０２３５９号公報
【特許文献２】特許第３８８２４７３号公報
【特許文献３】特開２００４−８１３０６号公報
【発明の概要】
【発明が解決しようとする課題】
【０００５】
上述のような従来の美術館等において使用されている展示ケースにおいては、収容空間内の空気を繰り返し循環させているので、収容空間内に汚染源がある場合、収容空間と循環路全体が高濃度で汚染され、高価な化学フィルタを用いても、展示ケースに収容できる化学フィルタの容量が限られているため、汚染を十分に除去できないことがある。
このような汚染源の多くは、収容空間内における展示台の内装材や気密性を確保するためのコーキング材等からの放散ガスであり、展示が始まってからもこのような放散ガスが発生することがある。
問題となる放散ガスとしては、アルデヒド(ホルムアルデヒド、アセトアルデヒド)、有機酸(酢酸、ギ酸)、アンモニア等がある。
【０００６】
そのため、新しく制作する展示ケースに関しては、展示物を収容しない状態で、収容空間を開放し、かつ扉を開いて、これらの内装材等からの放散ガスが出尽くすのを待って、すなわち「枯らして」から使用するのが好ましいが、このような「枯らし」に要する時間を確保できない場合が多い。
【０００７】
また、上述のような従来の展示ケースにおいては、量産が難しく、高価な素材を使用することが多いので、製造コストが高くつくだけでなく、高価な化学フィルタや防塵フィルタを頻繁に交換しなければならなくなると、維持費も高騰する等の問題がある。
【０００８】
その反面、展示ケースを配設している美術館や博物館等の展示室の空調設備は近年著しく進化し、温湿度調節だけでなく、化学フィルタを備えたものもあり、開館中は、見学者のため、展示室内の空気質は悪化するが、閉館中、特に次の開館前の時間帯には、展示室内の空気質はきわめて清浄化されている。
【０００９】
本発明は、このような展示室内の清浄化された空気に着目し、これを利用することによって、展示ケースの構成を複雑化することなく、展示物の展示空間内における空気質を良好にすることができ、もって、従来の技術が有する上記のような展示ケースの製造コストおよび維持費の高騰等の問題を解決しうるようにした空調装置を備える展示室内に配設した展示ケース内の環境制御方法およびシステムを提供することを目的としている。
【課題を解決するための手段】
【００１０】
本発明によると、上記課題は、次のようにして解決される。
（１）空調装置を備える展示室内に配設した展示ケース内の環境制御方法において、前記展示室の使用時には、前記展示ケースにおける展示空間を密閉し、前記展示室の不使用時に、前記展示空間内の空気を、展示室の室内空間の空気と換気する。
【００１１】
このような方法によると、展示ケースが配設された展示室内に見学者が訪れ、展示ケース内の展示物等を見学する際には、展示ケースにおける展示空間は密閉されているので、見学者の通行等により空気質が悪化した展示室内の空気が展示ケース内に進入して、展示物に悪影響を及ぼすのを防止することができる。
展示室内に見学者等が訪れることがない夜間や休館日等においては、展示室内の空気は、空調装置により浄化され、その空気質は良好なものとなる。
このような展示室の不使用時、特に展示室が不使用になってからある程度の時間が経過した後に、展示空間内の空気を、展示室の室内空間の空気と換気することにより、展示ケースが密閉されていた期間に展示ケース内の内装材やコーキング材等の汚染源から発生した微量の放散ガス等も展示ケース外に排出され、展示ケース内は、展示室内の清浄化された空気により充填されるとともに、換気期間中に発生した放散ガスも即座に排出される。
このような展示ケース内の換気によって、万一、展示室内に、展示ケース内の汚染源から発生した有害なガス等が放散されたとしても、そのときは、展示室の不使用時であるので、見学者等がその有害なガスを吸引するおそれはなく、しかも、そのような有害なガス等は、展示室の空調装置により、その後速やかに排除され、展示室の室内空気は、展示室の不使用期間中に浄化される。
したがって、展示ケース自体には、高価な空気浄化装置を設けることなく、簡単な換気装置を設けるだけで、展示物を収容したままでも、展示ケース内の空気質を良好にすることができるとともに、温度および湿度の維持を図ることができ、もって、従来の技術が有する上記のような展示ケースの製造コストおよび維持費の高騰等の問題を解決することができる。また、展示物を収容したままでも、枯らしを促進することができる。
【００１２】
（２）上記(１)項において、展示室が不使用状態となってから、空調装置による展示室内の浄化時間以上の浄化時間の経過後に、展示空間の換気を開始させる。
【００１３】
このような方法によると、展示室を不使用状態とした直後には、展示室内の空気はまだ十分には清浄化されておらず、そのような空気質の悪い室内空気が展示空間内に進入するのを防止することができ、空気質の悪い室内空気が空調装置により浄化され、沈静化した空気のみを、展示空間内に供給することができる。
【００１４】
（３）上記(２)項において、展示室が次の使用状態になる前に、展示空間の換気を終了させるとともに、その終了時間から、予め定めた換気時間を逆算して、換気を開始させる。
【００１５】
このような方法によると、展示室内が最も清浄化されている、展示室の次の使用直前の室内空気を利用して、換気性能等に基づいて予め定めた最短時間だけ換気することができるので、風が当たることによって劣化するおそれがある展示物への風当たりを必要最小限に抑えることができる。
【００１６】
（４）上記(１)〜(３)項のいずれかににおいて、展示ケースに、その展示空間内の空気を、空気清浄手段を通して循環させる循環路を設け、前記展示空間を室内空間から遮断した状態で、前記展示空間の空気を前記循環路に沿って循環させる。
【００１７】
このような方法によると、展示室の使用時に、展示空間内の空気が、循環路に沿って循環させられることにより、密閉された展示空間内において、内装材やコーキング材等から新たに発生した微量の放散ガス等も、循環路に設けた空気清浄手段により除去することができる。
【００１８】
（５）空調装置を備える展示室内に配設した展示ケース内の環境制御システムであって、展示ケースに設けられ、かつ展示ケース内の密閉された展示空間内の空気を展示室の室内空間内の空気と換気する換気装置と、展示室の使用時間に基づいて、前記展示室の使用時間外に最適換気時間を定め、その最適換気時間に前記換気装置を作動させるように前記換気装置を制御する制御装置とを備えているものとする。
【００１９】
このような構成によると、展示ケースに設けた換気装置が、制御装置により制御され、展示室の不使用時の最適な時間に作動させられて、展示室の室内空間における清浄化されているときの空気だけが、展示空間内に供給されて、展示空間内を清浄化することができる。
したがって、展示ケース自体には、高価な空気浄化装置を設けることなく、簡単な換気装置を設けるだけで、展示物を収容した展示ケース内の空気質を良好にすることができ、もって、従来の技術が有する上記のような展示ケースの製造コストおよび維持費の高騰等の問題を解決することができる。
【００２０】
（６）空調装置を備える展示室内に配設した展示ケース内の環境制御システムであって、展示ケースに設けられ、かつ展示ケース内の密閉された展示空間内の空気を展示室の室内空間内の空気と換気する換気装置と、展示室の使用時間を設定する入力手段と、リアルタイムクロックと、前記換気装置の作動を制御する制御装置とを備え、前記制御装置は、前記入力手段により入力された展示室の使用時間に基づいて、最適換気時間を、前記展示室の使用時間外に決定する最適換気時間決定手段と、前記リアルタイムクロックが示す時間が、前記最適換気時間と一致したとき、前記換気装置を作動させる出力手段とを有するプログラム制御手段を備えているものとする。
【００２１】
このような構成によると、展示室の使用時間を入力手段により入力しておくだけで、展示ケースに設けた換気装置が、制御装置のプログラム制御手段により制御され、展示室の不使用時の最適な時間に作動させられて、展示室の室内空間における清浄化されているときの空気だけが、展示空間内に供給されて、展示空間内を清浄化することができる。
したがって、展示ケース自体には、高価な空気浄化装置を設けることなく、簡単な換気装置を設けるだけで、展示物を収容した展示ケース内の空気質を良好にすることができ、もって、従来の技術が有する上記のような展示ケースの製造コストおよび維持費の高騰等の問題を解決することができる。
【００２２】
（７）上記(６)項において、展示ケースに、その展示空間内の空気を、空気清浄手段を通して循環させる循環路を設けるとともに、換気装置に、展示ケースの外部に連通する開口を開閉する開閉弁を設け、プログラム制御手段に、リアルタイムクロックが示す時間が、入力手段により入力された展示室の使用時間と一致したとき、前記開閉弁を閉止させて、前記循環路による空気循環を行わせる循環作動出力手段を設ける。
【００２３】
このような構成によると、展示室の使用中に展示空間を密閉でき、かつ展示空間内の空気を、循環路を介して循環させることにより、空気清浄手段により浄化することができる。
したがって、密閉された展示空間内において、内装材やコーキング材等から新たに発生した微量の放散ガス等も、循環路に設けた空気清浄手段により除去することができる。
【００２４】
（８）上記(５)〜(７)項のいずれかにおいて、室内空間に、その温度および／または湿度を検出する第１温湿度センサを設け、展示空間に、その温度および／または湿度を検出する第２温湿度センサを設け、さらに、制御装置に、第１温湿度センサにより検出した温度または湿度と、第２温湿度センサにより検出した温度または湿度との差が、予め定めた設定値より大となったき、換気装置の作動を停止させる温湿度差制御手段を設ける。
【００２５】
このような構成によると、温湿度差制御手段が作動することにより、展示空間内の空気と温度および／または湿度が極端に異なる空気が展示空間内に進入し、展示空間内の展示物に悪影響を及ぼすことを防止することができる。
【発明の効果】
【００２６】
本発明によると、展示室内の清浄化された空気を利用することによって、展示ケースの構成を複雑化することなく、展示物の展示空間内における空気質を良好にすることができ、もって、従来の技術が有する上記のような展示ケースの製造コストおよび維持費の高騰等の問題を解決しうるようにした空調装置を備える展示室内に配設した展示ケース内の環境制御方法およびシステムを提供することができる。
【図面の簡単な説明】
【００２７】
【図１】本発明の展示ケース内の環境制御システムの第１の実施形態を適用した展示ケースを配設した展示室を模式的に示す概略縦断正面図である。
【図２】本発明の展示ケース内の環境制御システムの第１の実施形態のブロック図である。
【図３】本発明の展示ケース内の環境制御方法の第１の実施要領の基本的な流れを示すフローチャートである。
【図４】本発明の展示ケース内の環境制御方法の第１の実施要領の追加的な流れを示すフローチャートである。
【図５】本発明の展示ケース内の環境制御システムの第２の実施形態を適用した展示ケースを模式的に示す概略縦断正面図である。
【図６】本発明の展示ケース内の環境制御システムの第２の実施形態のブロック図である。
【図７】本発明の展示ケース内の環境制御方法の第２の実施要領の基本的な流れを示すフローチャートである。
【図８】本発明の展示ケース内の環境制御方法の第２の実施要領の追加的な流れを示すフローチャートである。
【発明を実施するための形態】
【００２８】
以下、本発明の展示ケース内の環境制御システムの一実施形態を、図面を参照して説明する。
図１は、行灯型とした第１の展示ケース１と、壁面型とした第２の展示ケース２とを配設した展示室３を模式的に示す概略縦断正面図である。
図１に示すように、この展示室３は、空調装置４を備えている。
空調装置４は、展示室３が設けられた建造物の既存のものを使用することができるが、ここでは、本体５と、一端が本体５に接続され、かつ還気ファン６ａを介して、他端が展示室３の天井と側壁下部とに開口する還気ダクト６と、一端が本体５に接続され、かつ他端が展示室３の天井に開口する給気ダクト７と、一端が本体５に接続され、かつ他端が、外気導入管８および排気管９とを介して屋外に開口し、還気ダクト６から本体５を通って給気ダクト７に至る循環路１０内を流れる空気、または本体５に取入れられる外気を、熱媒体(図示略)と熱交換することにより、暖房または冷房する全熱交換器１１とを備えるものとしてある。
還気ダクト６の展示室３側の開口部と、給気ダクト７の展示室３側の開口部とは、ショートサーキットが形成されないように、互いに離間するようにして設けられている。
【００２９】
本体５には、循環路１０内を流れる空気を清浄化する空気清浄手段１２と、循環路１０に沿って空気を送給する送風機１３とが設けられている。
【００３０】
空気清浄手段１２は、目の粗い防塵フィルタとしたプレフィルタ１４と、化学フィルタ１５と、目の細かい防塵フィルタ等とした中性能フィルタ１６とを備えている。
【００３１】
この空調装置４により、展示室３内は、常時適温に温度制御(その温度制御手段については、公知または周知のものでよいので、図示および詳細な説明は省略する)されるとともに、清浄化されている。また、空調装置４には、湿度調整手段(図示略)を設けることもある。
【００３２】
展示ケース１は、展示室３内の床面３ａに載置された基台２０と、基台２０上に設けられ、外周部の少なくとも一部が透明材料により形成され、かつ基台２０の上面によって形成した展示台２１上に配設した展示物２２を密閉状態で囲むケース本体２３と、ケース本体２３の展示空間Ｓ１と展示室３の室内空間Ｓ０とを連通する通気路２４と、通気路２４に設けられ、ケース本体２３の展示空間Ｓ１の空気を展示室３の室内空間Ｓ０へ、および／または室内空間Ｓ０の空気を展示空間Ｓ１へ送給する送風機２５と、通気路２４に設けられ、この通気路２４を開閉するダンパ形の開閉弁２６、２７とを備えている。
【００３３】
ケース本体２３は、４側面を透明ガラスにより形成し、かつ天板に照明器具(図示略)を配設したものとしてあるが、それらの構成は本発明に直接関係しないので、詳細な説明は省略する。
【００３４】
通気路２４は、展示ケース１においては、ケース本体２３の展示空間Ｓ１の空気を室内空間Ｓ０へ排出する排気路２８と、室内空間Ｓ０の空気を展示空間Ｓ１へ供給する給気路２９とを備えており、排気路２８には開閉弁２６が、また給気路２９には、開閉弁２７と、送風機２５と、空気清浄手段３０とが設けられている。
空気清浄手段３０は、具体的には、化学フィルタおよび／または防塵フィルタとするのが好ましい。
【００３５】
排気路２８および給気路２９、並びにそれらに設けられた開閉弁２６、２７、送風機２５、空気清浄手段３０は、いずれも基台２０内に配設され、給気路２９の吸気口２９ａは、基台２０の一側面より展示室３の室内空間Ｓ０に開口している。
【００３６】
排気路２８の排気口２８ａは、基台２０の内部に開口するように配設され、排気路２８からの排気を、基台２０内を通して、基台２０の下端開口部より排出するようになっている。なお、基台２０における吸気口２９ａが設けられた側面と背向する側面に排気口(図示略)を設け、ここから排気路２８からの排気を、基台２０内を通して、排出するようにすることもある。
なお、排気路２８の排気口２８ａと、給気路２９の吸気口２９ａとは、互いに離間させて配設するのがよく、また、複数の展示ケース１を床面３ａに並設する際には、一方の展示ケース１の排気口２８ａが他方の展示ケース１の吸気口２９ａと対向したり、近接したりしないように配置するのが好ましい。
【００３７】
展示ケース１においては、排気路２８と給気路２９とからなる通気路２４、送風機２５、開閉弁２６、２７、および空気清浄手段３０により、展示ケース１に設けられ、かつ展示ケース１内の密閉された展示空間Ｓ１内の空気を展示室の室内空間Ｓ０内の空気と換気する換気装置３１が形成されている。
【００３８】
排気路２８の展示空間Ｓ１側の端部には、展示空間Ｓ１内の温度および／または湿度Ｃ１を検知する温湿度センサ３２が、また給気路２９の室内空間Ｓ０側の端部には、室内空間Ｓ０内の温度および／または湿度Ｃ２を検知する温湿度センサ３３が設けられている。
【００３９】
また、展示ケース１の外側面の適所には、人が近づくことにより作動するようにした人感センサ３４が設けられている。
【００４０】
図２は、本発明の、展示ケース１内の環境制御システムの一実施形態を示すブロック図である。
図２に示すように、この環境制御システム３５は、展示ケース１における換気装置３１と、展示室３の使用時間Ｔｘ等を設定する入力手段３６と、リアルタイムクロック３７と、換気装置３１の作動を制御する制御装置３８とを備えている。
【００４１】
入力手段３６は、展示室３の使用時間Ｔｘ等を設定する使用時間設定手段３６ａと、温湿度差設定手段３６ｂと、送風機の２５の風量を設定する風量設定手段３６ｃとを備えている。
【００４２】
制御装置３８は、入力手段３６における使用時間設定手段３６ａにより設定された展示室３の使用時間Ｔｘ、温湿度差設定手段３６ｂにより設定された設定温湿度差Ｃｘ、風量設定手段３６ｃにより設定された風量Ｖｘ等を記憶するメモリ３９ａと、このメモリ３９ａに記憶された展示室３の使用時間Ｔｘ等に基づいて、最適換気時間Ｔｙを、展示室３の使用時間Ｔｘ外に決定する最適換気時間決定手段３９ｂと、リアルタイムクロック３７が示す時間Ｔ０が、最適換気時間Ｔｙと一致したとき、換気装置３１を作動させる出力手段３９ｃとを有するプログラム制御手段３９を備えている。
また、図示は省略してあるが、制御装置３８には、温湿度センサ３２により検出した温度または湿度Ｃ１と、温湿度センサ３３により検出した温度または湿度Ｃ２との差の絶対値が、温湿度差設定手段３６ｂにより設定した温湿度差Ｃｘより大となったき、換気装置３１の作動を停止させるようにした温湿度差制御手段が設けられている。
【００４３】
次に、この環境制御システム３５の作用とともに、本発明の、空調装置を備える展示室内に配設した展示ケース内の環境制御方法の一実施要領を、図３に示すフローチャートを参照して説明する。
図３に示すように、まず、入力手段３６において、使用時間設定手段３６ａにより、展示室３の使用時間Ｔｘ等を設定し(S1)、温湿度差設定手段３６ｂにより、温湿度差Ｃｘを設定し(S2)、さらに、風量設定手段３６ｃにより、送風機の２５の風量Ｖｘを、例えば、強、中、弱、微風の中から選択するようにして設定する(S3)。
【００４４】
使用時間Ｔｘ、温湿度差Ｃｘ、および風量Ｖｘがすべて設定され、かつそれらがメモリ３９ａに記憶されると(S4)、それらの設定値と、予めメモリ３９ａに記憶させておいた演算式等に基づいて、最適換気時間Ｔｙが、最適換気時間決定手段３９ｂにおいて演算され(S5)、その演算された最適換気時間Ｔｙがメモリ３９ａに記憶される(S6)。
【００４５】
例えば、使用時間Ｔｘを、火〜土曜日１０時〜１８時、日曜日１０時〜１９時、月曜日は休館と設定した場合、展示室３が不使用状態となった直後から、ある一定時間、例えば２時間は、展示室３内の空気の沈静化と、空調装置４による展示室３内の空気の浄化のための時間として、その時間帯には換気を行わないようにし、また、次の使用開始から例えば１時間前までの時間帯は、展示室３の使用に伴う関係者の出入りが頻繁になることから、この時間帯においても、換気を行わないようにする。
また、展示室が次の使用状態になる前に、展示空間の換気を終了させるとともに、その終了時間から、予め定めた換気時間を逆算して、換気を開始させるのが好ましい。
このようにすると、展示室３内が最も清浄化されている、展示室３の次の使用直前の室内空気を利用して、換気性能等に基づいて予め定めた最短時間だけ換気することができるので、風が当たることによって劣化するおそれがある展示物への風当たりを必要最小限に抑えることができる。
【００４６】
最適な連続換気時間を、換気装置３１の性能に基づいて、例えば、１時間とすると、上記の例の場合、最適換気時間Ｔｙは、火〜日曜日の午前８時〜９時ということになる。
【００４７】
リアルタイムクロック３７が示す時間Ｔ０が、最適換気時間Ｔｙと一致していないときは(S7)、最適換気時間決定手段３９ｂから、出力手段３９ｃに、非換気信号が送られ(S8)、出力手段３９ｃにより、展示ケース１における開閉弁２６、２７のアクチュエータ２６ａ、２７ａが、閉弁作動させられ、開閉弁２６、２７は閉じたまま維持される(S9)。
【００４８】
また、出力手段３９ｃにより、展示ケース１における送風機２５のコントローラ２５ａには、停止指令が出され、送風機２５は停止したまま維持される(S10)。
【００４９】
このように、送風機２５の作動が停止し、かつ開閉弁２６、２７が閉じたままの状態では、展示室３内に見学者が訪れ、見学者の通行等により展示室３内の空気の空気質が悪化しても、その空気質が悪化した空気がケース本体２３内に進入することはなく、展示物２２に悪影響を及ぼすのを防止することができる。
【００５０】
その後、リアルタイムクロック３７が示す時間Ｔ０が、最適換気時間Ｔｙと一致すると(S11)、出力手段３９ｃに換気信号が送られ(S12)、出力手段３９ｃにより、展示ケース１における開閉弁２６、２７のアクチュエータ２６ａ、２７ａが、開弁作動させられ、開閉弁２６、２７は開かれて、開かれたまま維持される(S13)。
【００５１】
また、出力手段３９ｃにより、展示ケース１における送風機２５のコントローラ２５ａには、作動指令が出され、送風機２５は、送風量が、風量設定手段３６ｃにより設定された風量Ｖｘとなるようにして作動させられる(S14)。
【００５２】
展示室３内に見学者等が訪れることがない夜間や休館日等においては、展示室３内の空気は、空調装置４により浄化され、その空気質は良好なものとなる。
最適換気時間決定手段３９ｂにより決定される最適換気時間Ｔｙは、このような展示室３の不使用時、特に展示室３が不使用になってからある程度の時間が経過した後に設定するようにしてあるので、最適換気時間決定手段３９ｂにより決定された最適換気時間Ｔｙに、展示ケース１における開閉弁２６、２７が開き、かつ送風機２５が作動させることにより、ケース本体２３の展示空間Ｓ１の空気は、清浄化された室内空間Ｓ０の空気と換気される。
【００５３】
それによって、ケース本体２３が密閉されていた期間にケース本体２３内の内装材やコーキング材等の汚染源から発生した微量の放散ガス等もケース本体２３外に排出され、ケース本体２３内は、展示室３内の清浄化された空気により充填されるとともに、換気期間中に発生した放散ガスも即座に排出される。
【００５４】
したがって、展示ケース１自体には、高価な空気浄化装置を設けることなく、簡単な換気装置を設けるだけで、展示物２２を収容したケース本体２３内の空気質を良好にすることができ、もって、製造コストおよび維持費の高騰等の問題を解決することができる。
【００５５】
その後、最適換気時間Ｔｙが経過し、リアルタイムクロック３７が示す時間Ｔ０が、最適換気時間Ｔｙと一致しなくなると、ステップ(S7)に戻って、最適換気時間決定手段３９ｂから、出力手段３９ｃに、非換気信号が送られ(S8)、ステップ(S9)(S10)に進み、開閉弁２６、２７は閉じられ、かつ送風機２５は停止させられ、非換気状態となる。
【００５６】
ステップ(S11)〜(S14)により、展示ケース１における展示空間Ｓ１内の空気と室内空間Ｓ０内の空気との換気が行われている途中で、図４に示すように、万一、展示室３内に人が立ち入り、そのことを人感センサ３４が感知するか(S15)、または温湿度センサ３２によって検知された展示空間Ｓ１内の温度および／または湿度Ｃ１と、温湿度センサ３３によって検知された室内空間Ｓ０内の温度および／または湿度Ｃ２との差が、温湿度差設定手段３６ｂにより設定された設定温湿度差Ｃｘを越えたとき(|Ｃ１−Ｃ２|＞Ｃｘ)は(S16)、即座に、最適換気時間決定手段３９ｂから出力手段３９ｃに、非換気信号が送られ(S17)、出力手段３９ｃにより、展示ケース１における開閉弁２６、２７のアクチュエータ２６ａ、２７ａが、閉弁作動させられ、開閉弁２６、２７は閉じられ、閉じたまま維持されるとともに(S18)、出力手段３９ｃにより、展示ケース１における送風機２５のコントローラ２５ａに停止指令が出され、送風機２５は停止させられる(S19)。
【００５７】
したがって、展示室３内に人が立ち入って、室内空間Ｓ０内の空気に乱流が生じたり、その人の着衣から塵埃や微量な放散ガスが発生したりし、室内空間Ｓ０の空気質が悪化したとしても、展示室３内に人が進入した時点で、そのことを人感センサ３４が感知して、即座に非換気状態となるので、空気質が悪化した室内空間Ｓ０内の空気が、展示ケース１における展示空間Ｓ１内に供給されることは防止される。
【００５８】
また、展示空間Ｓ１内の空気と温度および／または湿度が極端に異なる空気が展示空間Ｓ１内に進入し、展示空間内の展示物に悪影響を及ぼすことを防止することができる。
【００５９】
その後、人感センサ３４がＯＦＦとなり(S20)、かつ展示空間Ｓ１内の温度および／または湿度Ｃ１と、室内空間Ｓ０内の温度および／または湿度Ｃ２との差が、温湿度差設定手段３６ｂにより設定された設定温湿度差Ｃｘと同一かまたは小となり(|Ｃ１−Ｃ２|≦Ｃｘ)(S21)、さらにそれから、予め定めた遅延時間Ｔｄが経過することにより(S22)、元の状態、すなわちステップ(S7)に戻る。
【００６０】
すなわち、このとき、最適換気時間Ｔｙがすでに経過しているとき(Ｔ０≠Ｔｙ)は(S7)、最適換気時間決定手段３９ｂから、出力手段３９ｃに、非換気信号が送られ(S8)、出力手段３９ｃにより、展示ケース１における開閉弁２６、２７のアクチュエータ２６ａ、２７ａが、閉弁作動させられ、開閉弁２６、２７は閉じたまま維持される(S9)とともに、出力手段３９ｃにより、展示ケース１における送風機２５のコントローラ２５ａには、停止指令が出され、送風機２５は停止したまま維持される(S10)。
【００６１】
また、ステップ(S7)において、リアルタイムクロック３７が示す時間Ｔ０が、まだ最適換気時間Ｔｙ内にあるとき(Ｔ０＝Ｔｙ)は、ステップ(S7)からステップ(S11)〜(S14)に進み、ケース本体２３の展示空間Ｓ１の空気は、清浄化された室内空間Ｓ０の空気と換気される。
【００６２】
その後、最適換気時間Ｔｙが経過して、Ｔ０≠Ｔｙとなると、ステップ(S7)まで戻り、最適換気時間決定手段３９ｂから、出力手段３９ｃに、非換気信号が送られ(S8)、ステップ(S9)(S10)に進み、開閉弁２６、２７は閉じられ、かつ送風機２５は停止させられ、非換気状態となる。
【００６３】
図示は省略してあるが、展示ケース１には、主電源スイッチが設けられており、これを投入することにより、図３および図４に示すフローチャートがスタートし、かつ主電源スイッチを切ることにより、開閉弁２６、２７が閉じた状態で、展示ケース１へのすべての給電が停止される。
【００６４】
図１に戻って、展示ケース２は、展示室３内の壁面３ｂに沿うようにして、床面３ａに載置される基台４０と、基台４０上に設けられ、外周部の少なくとも一部が透明材料により形成され、かつ基台４０の上面に載置した展示台４１上に配設した展示物４２を密閉状態で囲むケース本体４３と、ケース本体４３の展示空間Ｓ２と室内空間Ｓ０とを連通する通気路４４と、通気路４４に設けられ、ケース本体４３の展示空間Ｓ２の空気を展示室３の室内空間Ｓ０へ、および／または室内空間Ｓ０の空気を展示空間Ｓ２へ送給する送風機４５と、通気路４４に設けられ、この通気路４４を開閉するダンパ形の開閉弁４６、４７とを備えている。
【００６５】
ケース本体４３は、展示室３の内方を向く面の上下方向の中間部のみが透明ガラスにより形成され、他は、不透明材料により形成され、かつ上部に照明器具(図示略)が配設されている。
【００６６】
通気路４４は、基台４０の上面と基台４０の内側面とに開口するように基台４０内に設けられ、かつケース本体４３の展示空間Ｓ２の空気を室内空間Ｓ０へ排出する排気路４８と、ケース本体４３の上部の天井面と不透明部分の内側面とに開口するようにして不透明部分内に配設され、かつ室内空間Ｓ０の空気を展示空間Ｓ２へ供給する給気路４９とを備えており、排気路４８には開閉弁４６が、また給気路４９には、開閉弁４７と、送風機４５と、具体的にはフィルタとした空気清浄手段５０とが設けられている。４８ａは、基台４０の側面に設けられた排気路４８の排気口、４９ａは、ケース本体４３の天井部の側面に設けられた給気路４９の吸気口である。
【００６７】
基台４０の上面における奥部に設けた凹所５１には、調湿剤５２が設けられている。
【００６８】
展示ケース２においては、排気路４８と給気路４９とからなる通気路４４、送風機４５、開閉弁４６、４７、および空気清浄手段５０により、展示ケース１におけるのと同様の換気装置３１が形成されている。
【００６９】
また、展示ケース２にも、展示ケース１におけるのと同様の温湿度センサ３２、３３、人感センサ３４、制御装置３８等が、図１に示すような配置で設けられている。
【００７０】
さらに、展示ケース２に関しても、図２に示すのと同様の環境制御システム３５が設けられ、図３および図４に示すのと同様の態様で、展示ケース１とは独立して、本発明の空調装置を備える展示室内に配設した展示ケース内の環境制御方法を実施しうるようになっているが、その構成や態様は、展示ケース１について上述したのと同一であるので、図示および詳細な説明は省略する。
【００７１】
図５は、本発明の展示ケース内の環境制御システムの第２の実施形態を適用した展示ケースを模式的に示す概略縦断正面図である。
この行灯型の展示ケース５９は、図１に示す展示ケース１における基台２０、展示台２１、展示物２２、ケース本体２３、通気路２４、送風機２５、開閉弁２６、２７、排気口２８ａを備える排気路２８、吸気口２９ａを備える給気路２９、空気清浄手段３０に相当する、基台６０、展示台６１、展示物６２、ケース本体６３、通気路６４、送風機６５、開閉弁６６、６７、排気口６８ａを備える排気路６８、吸気口６９ａを備える給気路６９、空気清浄手段７０を備えている。
【００７２】
しかし、展示ケース５９においては、展示ケース１におけるのと異なり、排気路６８と給気路６９との中間部同士を連通するバイパス路７１を設けることにより、ケース本体６３の展示空間Ｓ３−排気路６８−バイパス路７１−給気路６９−展示空間Ｓ３からなり、ケース本体６３の展示空間Ｓ３の空気を吸い込んで、展示空間Ｓ３内に戻す循環路７２が形成され、上記バイパス路７１に、ダンパ形の第３の開閉弁７３が設けられている。
【００７３】
また、送風機６５は、排気路６８における展示空間Ｓ３側の端部とバイパス路７１との間に設けられ、かつ空気清浄手段７０は、給気路６９におけるバイパス路７１と展示空間Ｓ３側の端部との間に設けられている。
さらに、給気路６９におけるバイパス路７１と展示空間Ｓ３側の端部との間に、調湿剤７４が配設されている。
【００７４】
この展示ケース５９によると、展示ケース１におけるのと同様の作用および効果を奏することができるほかに、展示室３内に見学者が訪れ、展示ケース５９内の展示物６２等を見学している際に、開閉弁６６、６７を閉じ、開閉弁７３を開き、かつ送風機６５を作動させることにより、ケース本体６３の展示空間Ｓ３を換気しない代わりに、循環路７２を介して、ケース本体６３の展示空間Ｓ３内の空気を循環させ、空気清浄手段７０により、ケース本体６３内における汚染源から発生した微量の放散ガス等を吸着させて、ケース本体６３内の浄化を図ることができる。
【００７５】
展示ケース５９においては、排気路６８と給気路６９とからなる通気路６４、送風機６５、開閉弁６６、６７、空気清浄手段７０、バイパス路７１を含む循環路７２、および開閉弁７３により、展示ケース５９に設けられ、かつ展示ケース５９内の密閉された展示空間Ｓ３内の空気を展示室の室内空間Ｓ０内の空気と換気する換気装置３１が形成されている。
【００７６】
また、バイパス路７１を含む循環路７２と、送風機６５と、空気清浄手段７０と、開閉弁７３とによって、展示空間Ｓ３内の空気を、空気清浄手段７０を通して循環させることができるようになっている。
【００７７】
さらに、展示ケース５９には、展示ケース１におけるのと同様の温湿度センサ３２、３３、人感センサ３４、制御装置３８等が、図５に示すような配置で設けられている。
【００７８】
展示ケース５９には、図６に示すような環境制御システム３５が設けられ、図７および図８に示すような態様で、本発明の空調装置を備える展示室内に配設した展示ケース内の環境制御方法を実施しうるようになっている。
【００７９】
図６に示す環境制御システム３５は、図２に示す環境制御システム３５と、次の点で相違するだけで、その他は同一としてある。
すなわち、図６に示す環境制御システム３５においては、入力手段３６に、循環選択スイッチ３６ｄを設け、かつプログラム制御手段３９に、循環選択スイッチ３６ｄがＯＮとなっており、かつリアルタイムクロック３７が示す時間Ｔ０が、入力手段３６により入力された展示室３の使用時間Ｔｘと一致したとき、開閉弁７３のアクチュエータ７３ａを開弁作動させ、開閉弁６６、６７のアクチュエータ６６ａ、６７ａを閉弁作動させ、かつ送風機６５のコントローラ６５ａに作動指令を出すようにした循環作動出力手段３９ｄを設けてある。
【００８０】
図７および図８に示すフローチャートは、図３および図４に示すフローチャートと、次の点で相違するだけで、その他は同一である。
すなわち、図７に示すように、ステップ(S7)において、リアルタイムクロック３７が示す時間Ｔ０が、最適換気時間Ｔｙと一致しておらず、そのとき、循環選択スイッチ３６ｄがＯＮとなっていると(S30)、最適換気時間決定手段３９ｂから、循環作動出力手段３９ｄへ、非換気、循環信号が送られ(S31)、循環作動出力手段３９ｄにより、展示ケース５９における開閉弁６６、６７のアクチュエータ６６ａ、６７ａが閉弁作動させられ、開閉弁６６、６７は閉じたまま維持され、開閉弁７３のアクチュエータ７３ａは開弁作動させられ、開閉弁７３は開いたまま維持される(S32)。
【００８１】
また、循環作動出力手段３９ｄにより、展示ケース５９における送風機６５のコントローラ６５ａには、作動指令が出され、送風機６５は、送風量が、風量設定手段３６ｃにより設定された風量Ｖｘとなるようにして作動させられる(S33)。
【００８２】
このように、開閉弁６６、６７が閉じて換気が停止させられている状態において、開閉弁７３が開き、かつ送風機６５が作動させられることにより、展示空間Ｓ３内の空気は、循環路７２に沿って循環させられ、その途中において、空気清浄手段７０により浄化される。
したがって、密閉された展示空間Ｓ３内において、内装材やコーキング材等から新たに発生した微量の放散ガス等も、循環路７２に設けた空気清浄手段７０により除去することができる。
【００８３】
ステップ(S30)において、循環選択スイッチ３６ｄがＯＦＦとなっていると、図３におけるステップ(S8)〜(S10)と同様に、最適換気時間決定手段３９ｂから、出力手段３９ｃに、非換気信号が送られ(S34)、出力手段３９ｃにより、展示ケース５９における開閉弁６６、６７、７３のアクチュエータ６６ａ、６７ａ、７３ａが、閉弁作動させられ、開閉弁６６、６７、７３はすべて閉じたまま維持される(S35)。なお、このとき、開閉弁７３は、開いたまま維持しておいてもよい。
【００８４】
また、出力手段３９ｃにより、展示ケース５９における送風機６５のコントローラ６５ａには、停止指令が出され、送風機６５は停止したまま維持される(S36)。
【００８５】
このように、送風機６５の作動が停止し、かつ開閉弁６６、６７、７３が閉じたままの状態では、展示室３内に見学者が訪れ、見学者の通行等により展示室３内の空気の空気質が悪化しても、その空気質が悪化した空気がケース本体６３内に進入することはなく、展示物６２に悪影響を及ぼすのを防止することができる。
【００８６】
リアルタイムクロック３７が示す時間Ｔ０が、最適換気時間Ｔｙと一致すると(S11)、出力手段３９ｃに換気信号が送られ(S12)、出力手段３９ｃにより、展示ケース５９における開閉弁６６、６７のアクチュエータ６６ａ、６７ａが、開弁作動させられ、開閉弁６６、６７は開かれて、開いたまま維持され、開閉弁７３のアクチュエータ７３ａが、閉弁作動させられ、開閉弁７３は閉じられて、閉じたまま維持される(S13')。
【００８７】
また、出力手段３９ｃにより、展示ケース５９における送風機６５のコントローラ６５ａには、作動指令が出され、送風機６５は、送風量が、風量設定手段３６ｃにより設定された風量Ｖｘとなるようにして作動させられる(S14)。
【００８８】
この状態では、第１の実施形態におけるのと同様に、ケース本体６３の展示空間Ｓ１内の空気は、清浄化された室内空間Ｓ０内の空気と換気される。
【００８９】
この換気中に、図８に示すように、万一、展示室３内に人が立ち入り、そのことを人感センサ３４が感知するか(S15)、または温湿度センサ３２によって検知された展示空間Ｓ３内の温度および／または湿度Ｃ１と、温湿度センサ３３によって検知された室内空間Ｓ０内の温度および／または湿度Ｃ２との差が、温湿度差設定手段３６ｂにより設定された設定温湿度差Ｃｘを越え(|Ｃ１−Ｃ２|＞Ｃｘ)(S16)、そのとき、循環選択スイッチ３６ｄがＯＮとなっていると(S37)、ステップ(S31)〜(S33)と同様に、最適換気時間決定手段３９ｂから、循環作動出力手段３９ｄへ、非換気、循環信号が送られ(S38)、循環作動出力手段３９ｄにより、展示ケース５９における開閉弁６６、６７のアクチュエータ６６ａ、６７ａが閉弁作動させられ、開閉弁６６、６７は閉じたまま維持され、開閉弁７３のアクチュエータ７３ａは開弁作動させられ、開閉弁７３は開いたまま維持されるとともに(S39)、出力手段３９ｃにより、展示ケース５９における送風機６５のコントローラ６５ａに作動指令が出され、送風機６５は、送風量が、風量設定手段３６ｃにより設定された風量Ｖｘとなるようにして作動させられる(S40)。
【００９０】
このように、開閉弁６６、６７が閉じて換気が停止させられている状態において、開閉弁７３が開き、かつ送風機６５が作動させられることにより、展示空間Ｓ３内の空気は、循環路７２に沿って循環させられ、その途中において、空気清浄手段７０により浄化される。
したがって、密閉された展示空間Ｓ３内において、内装材やコーキング材等から新たに発生した微量の放散ガス等も、循環路７２に設けた空気清浄手段７０により除去することができる。
【００９１】
ステップ(S37)において、循環選択スイッチ３６ｄがＯＦＦとなっていると、ステップ(S34)〜(S36)と同様に、最適換気時間決定手段３９ｂから、出力手段３９ｃに、非換気信号が送られ(S41)、出力手段３９ｃにより、展示ケース５９における開閉弁６６、６７、７３のアクチュエータ６６ａ、６７ａ、７３ａが、閉弁作動させられ、開閉弁６６、６７、７３はすべて閉じたまま維持される(S42)。
【００９２】
また、出力手段３９ｃにより、展示ケース５９における送風機６５のコントローラ６５ａには、停止指令が出され、送風機６５は停止したまま維持される(S43)。
【００９３】
このように、送風機６５の作動が停止し、かつ開閉弁６６、６７、７３が閉じたままの状態では、展示室３内に見学者が訪れ、見学者の通行等により展示室３内の空気の空気質が悪化しても、その空気質が悪化した空気がケース本体６３内に進入することはなく、展示物６２に悪影響を及ぼすのを防止することができる。
【００９４】
その後、人感センサ３４がＯＦＦとなり(S20)、かつ展示空間Ｓ３内の温度および／または湿度Ｃ１と、室内空間Ｓ０内の温度および／または湿度Ｃ２との差が、温湿度差設定手段３６ｂにより設定された設定温湿度差Ｃｘと同一かまたは小となり(|Ｃ１−Ｃ２|≦Ｃｘ)(S21)、さらにそれから、予め定めた遅延時間Ｔｄが経過することにより(S22)、元の状態、すなわちステップ(S7)に戻る。
【００９５】
このように、本発明の展示ケース内の環境制御システムの第２の実施形態によると、展示室３が使用状態となり、換気装置３１が停止している状態で、送風機６５が自動的に作動させられ、展示空間Ｓ３内の空気が、循環路７２に沿って循環させられ、その途中において、循環させられている展示空間Ｓ３内の空気が、空気清浄手段７０により浄化される。
したがって、密閉された展示空間Ｓ３内において、内装材やコーキング材等から新たに発生した微量の放散ガス等も、循環路７２に設けた空気清浄手段７０により除去することができる。
【００９６】
本発明の展示ケースの第１〜第４の実施形態において、各排気路２８、４８、６８、および給気路２９、４９、６９のそれぞれの開口端部には、ルーバ等の整流手段が設けられているが、説明を簡略化するため、それらのルーバ等については、符号を付すことなく、各図において模式的に示すだけとしてある。
【００９７】
本発明は、上記実施形態のみに限定されるものではなく、特許請求の範囲を逸脱することなく、例えば、次のような変形した態様での実施が可能である。
(１)  制御装置３８を、展示室３の使用時間に基づいて、展示室３の使用時間外に最適換気時間を定め、その最適換気時間に換気装置３１を作動させるように換気装置３１を制御するタイマーする。
(２)  図１に示す展示ケース２のような壁面型展示ケースにも、図５に示す展示ケース５９における循環路７２と同様のものを設け、図６に示すような、本発明の展示ケース内の環境制御システムの第２の実施形態を適用する。
(３)  送風機２５、４５、６５を、排気路２８、４８、６８に設ける。または、排気路２８、４８、６８と給気路２９、４９、６９の両方に設ける。
(４)  排気路２８の排気口２８ａ等を、基台２０における吸気口２９ａが設けられた側面と背向する側面に開口するように設ける。
(５)  展示ケースまたは展示室内の一部に照度センサ(図示略)を設け、この照度センサの出力が、展示室内の照明が消灯となる閾値以下となってから一定時間経過するまでは、換気装置の作動を停止させるようにする。
(６)  循環路７２に設けられる送風機６５を省略するか、または停止したままとし、循環路７２を通る空気循環を自然循環とする。
(７)  展示室３が不使用状態であることを、人感センサ３４が不作動となってから一定時間が経過することにより検出するようにする。
(８)  入力手段３６に、換気装置３１を常時停止モード、常時作動モード、および最適換気モードの３モードに切替可能とした運転モード切替スイッチ(図示略)を設け、かつ風量設定手段３６ｃを、１、２、３、強の４段階に切替可能とし、運転モード切替スイッチを最適換気モードとしているときは、風量設定手段３６ｃを、展示物に影響を与えない１、２、３のいずれかに設定可能とし、運転モード切替スイッチを常時作動モードとしているときは、風量設定手段３６ｃを、強にも切替可能とし、展示ケース１、２内に展示物を入れる前に、「枯らし」を行う際には、この常時作動モードで、風量設定手段３６ｃを強とすることができるようにする。
(９)  空調装置４における送風機１３の故障や、フィルタ１４〜１６の目詰まり等の故障信号を受信することにより、換気装置３１の作動を停止させる保護制御手段(図示略)を、制御装置３８に設ける。
(10)  上記(９)項において、保護制御手段が故障信号を受信したとき、保護制御手段によって、循環作動出力手段３９ｄを作動させて、展示空間Ｓ３内の空気を循環路７２を通して循環させ、空気清浄手段７０により浄化させるようにする。
【符号の説明】
【００９８】
Ｃ１  展示空間Ｓ１内の温度および／または湿度
Ｃ２  室内空間Ｓ０内の温度および／または湿度
Ｃｘ  温湿度差
Ｓ０  室内空間
Ｓ１、Ｓ２、Ｓ３  展示空間
Ｔ０  リアルタイムクロック３７が示す時間
Ｔｘ  使用時間
Ｔｙ  最適換気時間
Ｔｄ  遅延時間
１、２  展示ケース
３  展示室
３ａ床面
３ｂ壁面
４  空調装置
５  本体
６  還気ダクト
７  給気ダクト
８  外気導入管
９  排気管
１０  循環路
１１  熱交換器
１２  空気清浄手段
１３  送風機
１４  プレフィルタ
１５  中性能フィルタ
１６  化学フィルタ
２０  基台
２１  展示台
２２  展示物
２３  ケース本体
２４  通気路
２５  送風機
２５ａ  コントローラ
２６、２７  開閉弁
２６ａ、２７ａ  アクチュエータ
２８  排気路
２８ａ排気口
２９  給気路
２９ａ吸気口
３０  空気清浄手段
３１  換気装置
３２、３３  温湿度センサ
３４  人感センサ
３５  環境制御システム
３６  入力手段
３６ａ使用時間設定手段
３６ｂ温湿度差設定手段
３６ｃ風量設定手段
３６ｄ循環選択スイッチ
３７  リアルタイムクロック
３８  制御装置
３９  プログラム制御手段
３９ａメモリ
３９ｂ最適換気時間決定手段
３９ｃ出力手段
３９ｄ循環作動出力手段
４０  基台
４１  展示台
４２  展示物
４３  ケース本体
４４  通気路
４５  送風機
４６、４７  開閉弁
４８  排気路
４８ａ排気口
４９  給気路
４９ａ吸気口
５０  空気清浄手段
５１  凹所
５２  調湿剤
５９  展示ケース
６０  基台
６１  展示台
６２  展示物
６３  ケース本体
６４  通気路
６５  送風機
６５ａコントローラ
６６、６７  開閉弁
６６ａ、６７ａ  アクチュエータ
６８  排気路
６８ａ排気口
６９  給気路
６９ａ吸気口
７０  空気清浄手段
７１  バイパス路
７２  循環路
７３  開閉弁
７３ａアクチュエータ
７４  調湿剤
【図１】
0006576638.tif 000002
【図２】
0006576638.tif 000003
【図３】
0006576638.tif 000004
【図４】
0006576638.tif 000005
【図５】
0006576638.tif 000006
【図６】
0006576638.tif 000007
【図７】
0006576638.tif 000008
【図８】
0006576638.tif 000009